(57)【要約】【課題】  液晶表示部に干渉縞が目視されるのを防止した液晶表示装置の提供。バックライトの光源に電源を供給するコネクタを簡易な構成とすることができる液晶表示装置の提供。【解決手段】  液晶表示パネルとこの液晶表示パネルの少なくとも液晶表示部と対向する面内に並設される線状の複数個からなる光源とを有するものであって、  これら各光源は、前記液晶表示パネルのデータ書き込みと同じ周波数の信号波形で駆動されるとともに、  互いに隣接されるもの同士でグループ化され、これら各グループの各光源は隣接する他のグループの各光源に対して反転された信号波形で駆動され、  この信号波形は他のグループの各光源とは別個のコネクタから供給される。【選択図】    図１
2005215012.tif 000002
【特許請求の範囲】
【請求項１】
液晶表示パネルとこの液晶表示パネルの少なくとも液晶表示部と対向する面内に並設される線状の複数個からなる光源とを有するものであって、
これら各光源は、前記液晶表示パネルのデータ書き込みと同じ周波数の信号波形で駆動されるとともに、
互いに隣接されるもの同士でグループ化され、これら各グループの各光源は隣接する他のグループの各光源に対して反転された信号波形で駆動され、
この信号波形は他のグループの各光源とは別個のコネクタから供給されることを特徴とする液晶表示装置。
【請求項２】
各グループの光源に接続されるコネクタは他のグループの光源に接続されるコネクタと分離されて構成されていることを特徴とする請求項１に記載の液晶表示装置。
【請求項３】
それぞれのグループの各光源に信号波形を供給する各コネクタは各光源の長手方向の一方の側に配置されていることを特徴とする請求項１に記載の液晶表示装置。
【請求項４】
グループ化された各光源は２個で構成されていることを特徴とする請求項１に記載の液晶表示装置。
【請求項５】
液晶表示パネルとこの液晶表示パネルの少なくとも液晶表示部と対向する面内に並設される線状の複数個からなる光源とを有するものであって、
これら各光源は、前記液晶表示パネルのデータ書き込みと同じ周波数の信号波形で駆動されるとともに、
前記各光源はその並設方向に１つおき若しくは複数おきに区別される一方のグループと他方のグループの各光源とに区分けされ、前記一方のグループの各光源には、他方のグループの各光源に対して反転された信号波形が供給され、該供給は、他方のグループの各光源とは別個のコネクタを通してなされることを特徴とする液晶表示装置。
【請求項６】
前記各光源をその並設方向に沿って複数の群に区分けし、それぞれの群において、各光源はその並設方向に１つおきに区別される一方のグループと他方のグループの各光源とに区分けされ、前記一方のグループの各光源には、他方のグループの各光源に対して反転された信号波形が供給され、該供給は、他方のグループおよび他の群における各光源とは別個のコネクタを通してなされることを特徴とする請求項５に記載の液晶表示装置。
【請求項７】
一方のグループの各光源に信号波形を供給するコネクタは該光源の長手方向の一方の側に配置され、他方のグループの各光源に信号波形を供給するコネクタは該光源の長手方向の他方の側に配置されていることを特徴とする請求項５、６のいずれかに記載の液晶表示装置。
【発明の詳細な説明】
【技術分野】
【０００１】
本発明は液晶表示装置に係り、いわゆる直下型と称されるバックライトを備える液晶表示装置に関する。
【背景技術】
【０００２】
この種の液晶表示装置のバックライトは、液晶表示パネルの少なくとも液晶表示部と平行な面にたとえば冷陰極線管からなる光源を複数並設して設けられている。
【０００３】
しかし、各冷陰極線管から発生する不要輻射（電界）が液晶表示パネルへ影響を及ぼし、液晶表示部に干渉縞が生じる不都合が見られる。
【０００４】
このため、この対策として、液晶表示パネルとバックライトの間にいわゆるＩＴＯ（Indium Tin Oxide）シートを介在させ、各冷陰極線管からの不要輻射を該ＩＴＯシートを通してフレーム（ＧＮＤ）におとすことで、該不要輻射の液晶表示パネルへの影響を低減させている。
【０００５】
なお、前記フレームとは、液晶表示パネルとバックライトをモジュール化させるための金属からなる枠体である。
【０００６】
なお、バックライトおよびそれを駆動する電源回路等は下記の文献等に記載されている。
【０００７】
【特許文献１】特開平１１−２９７４８５号公報
【特許文献２】特開平６−１６０８０４号公報
【特許文献３】特開平６−２２２３２９号公報
【発明の開示】
【発明が解決しようとする課題】
【０００８】
しかし、上述した液晶表示装置は、ＩＴＯシートを用いることにより、約１０％の輝度低下が生じるのを免れず、他の方法によって、液晶表示部に目視される干渉縞を回避させることが要望された。
【０００９】
本発明は、このような事情に基づいてなされたものであり、液晶表示部に干渉縞が目視されるのを防止した液晶表示装置を提供することにある。
【００１０】
また、本発明の他の目的は、バックライトの光源に電源を供給するコネクタを簡易な構成とすることができる液晶表示装置を提供することにある。
【課題を解決するための手段】
【００１１】
本願において開示される発明のうち、代表的なものの概要を簡単に説明すれば、以下のとおりである。
（１）
本発明による液晶表示装置は、たとえば、液晶表示パネルとこの液晶表示パネルの少なくとも液晶表示部と対向する面内に並設される線状の複数個からなる光源とを有するものであって、
これら各光源は、前記液晶表示パネルのデータ書き込みと同じ周波数の信号波形で駆動されるとともに、
互いに隣接されるもの同士でグループ化され、これら各グループの各光源は隣接する他のグループの各光源に対して反転された信号波形で駆動され、
この信号波形は他のグループの各光源とは別個のコネクタから供給されることを特徴とする。
【００１２】
（２）
本発明による液晶表示装置は、たとえば、（１）の構成を前提とし、各グループの光源に接続されるコネクタは他のグループの光源に接続されるコネクタと分離されて構成されていることを特徴とする。
【００１３】
（３）
本発明による液晶表示装置は、たとえば、（１）の構成を前提とし、それぞれのグループの各光源に信号波形を供給する各コネクタは各光源の長手方向の一方の側に配置されていることを特徴とする。
【００１４】
（４）
本発明による液晶表示装置は、たとえば、（１）の構成を前提とし、グループ化された各光源は２個で構成されていることを特徴とする。
【００１５】
（５）
本発明による液晶表示装置は、たとえば、液晶表示パネルとこの液晶表示パネルの少なくとも液晶表示部と対向する面内に並設される線状の複数個からなる光源とを有するものであって、
これら各光源は、前記液晶表示パネルのデータ書き込みと同じ周波数の信号波形で駆動されるとともに、
前記各光源はその並設方向に１つおき若しくは複数おきに区別される一方のグループと他方のグループの各光源とに区分けされ、前記一方のグループの各光源には、他方のグループの各光源に対して反転された信号波形が供給され、該供給は、他方のグループの各光源とは別個のコネクタを通してなされることを特徴とする。
【００１６】
（６）
本発明による液晶表示装置は、たとえば、前記各光源をその並設方向に沿って複数の群に区分けし、それぞれの群において、各光源はその並設方向に１つおきに区別される一方のグループと他方のグループの各光源とに区分けされ、前記一方のグループの各光源には、他方のグループの各光源に対して反転された信号波形が供給され、該供給は、他方のグループおよび他の群における各光源とは別個のコネクタを通してなされることを特徴とする。
【００１７】
（７）
本発明による液晶表示装置は、たとえば、（５）あるいは（６）の構成を前提とし、一方のグループの各光源に信号波形を供給するコネクタは該光源の長手方向の一方の側に配置され、他方のグループの各光源に信号波形を供給するコネクタは該光源の長手方向の他方の側に配置されていることを特徴とする。
【００１８】
なお、本発明は以上の構成に限定されず、本発明の技術思想を逸脱しない範囲で種々の変更が可能である。
【発明を実施するための最良の形態】
【００１９】
以下、本発明による液晶表示装置の実施例を図面を用いて説明する。
図２は、モジュール化された液晶表示装置の分解図を示し、前方から順次フレームＦＲ、液晶表示パネルＰＮＬ、光学シートＯＳ、バックライトＢＬが積層されてモジュール化されている。
【００２０】
液晶表示パネルＰＮＬは、液晶を介して対向配置される透明基板を外囲器とし、該液晶の広がり方向に多数の画素が備えられて構成されている。各画素の集合体は表示部ＡＲを構成し、この表示部ＡＲは液晶表示パネルＰＮＬにおいてその僅かな周辺を除く中央部に位置づけられている。
【００２１】
前記表示部ＡＲには、図３に示すように、前記透明基板のうち一方の基板の液晶側の面に、そのｘ方向に延在しｙ方向に並設されるゲート信号線ＧＬとｙ方向に延在しｘ方向に並設されるドレイン信号線ＤＬとが形成され、これら各信号線に囲まれた領域を画素領域としている。
【００２２】
これら各画素領域には、その一方の側のゲート信号線ＧＬからの信号（走査信号）によってオンされるスイッチング素子ＴＦＴと、このスイッチング素子ＴＦＴを介して当該画素領域の一方の側のドレイン信号線ＤＬからの信号（映像信号）が供給される画素電極ＰＸと、この画素電極ＰＸと当該画素領域の他方の側のゲート信号線ＧＬとの間に形成される容量素子Ｃａｄｄとが備えられている。
【００２３】
各ゲート信号線ＧＬには、たとえばその並設方向に沿って走査信号が順次供給され、この供給のタイミングに合わせて各ドレイン信号線ＤＬに映像信号が供給されるようになっている。この場合、各走査信号線ＧＬへの走査信号の供給は、データ書き込み信号とも称され、この実施例では、たとえば５０ｋＨｚの周波数でなされ、２０（μｓ）毎に次のゲート信号線ＧＬに信号を供給するようになっている。なお、このデータ書き込み信号のタイムチャートとして図１（ｂ）の（１）に示している。
【００２４】
前記スイッチング素子ＴＦＴを介して映像信号が印加される画素電極ＰＸは、前記透明基板のうち他方の基板の液晶側の面に形成された対向電極ＣＴ（図示せず）との間に電界を生じさせ、この電界によって当該画素の液晶を光変調させるようになる。
【００２５】
このように液晶表示パネルＰＮＬは、その各画素の液晶が光変調されることから、外来光を必要とし、観察者に対してその背面にバックライトＢＬが配置されている。なお、この図面では、液晶表示パネルＰＮＬとバックライトＢＬとの間に光学シートＯＳが配置され、バックライトＢＬから液晶表示パネルＰＮＬへの光をたとえば拡散等させるようになっている。
【００２６】
前記バックライトＢＬは、いわゆる直下型と称されるもので、液晶表示パネルＰＮＬとほぼ平行な面であって、該液晶表示パネルＰＮＬの表示部ＡＲと対向する面内に光源を備えたものとなっている。
【００２７】
この光源としては、たとえば８本からなる複数の冷陰極線管ＣＦＬ１〜ＣＦＬ８が用いられ、それらが等間隔に並設されて配置されている。
【００２８】
これら各冷陰極線管ＣＦＬは、底面にて反射機能を有するシャーシＣＳに該底面から若干離間されて支持され、前記シャーシＣＳとともにバックライトＢＬを構成するようになっている。各冷陰極線管ＣＦＬからの光は、直接液晶表示パネルＰＮＬ側に進行する光の他に、前記シャーシＣＳの底面に反射されて液晶表示パネルＰＮＬ側に進行する光も有し、光の有効利用を図っている。
【００２９】
そして、これら各冷陰極線管ＣＦＬ１〜ＣＦＬ８のそれぞれは、たとえば前記シャーシＣＳの裏面に配置されるインバータ基板ＩＢと接続され、このインバータ基板ＩＢを介して電源が供給されるようになっている。
【００３０】
液晶表示パネルＰＮＬの観察者側の面には、該液晶表示パネルＰＮＬの表示部ＡＲに対向する部分に開口（表示窓）ＤＦが設けられたフレームＦＲが配置され、このフレームＦＲの側面は前記バックライトＢＬのシャーシＣＳにたとえばかしめ等によって固定さるようになっている。
【００３１】
図１（ａ）は、前記インバータ基板ＩＢの構成を示した平面図である。このインバータ基板ＩＢは、液晶表示制御回路（図中ＴＣＯＮ基板と示している）から信号が供給されるとともに、冷陰極線管ＣＦＬへの電源周波数を調整する回路等が組み込まれて構成されている。
【００３２】
また、このインバータ基板ＩＢの出力部分、すなわち、前記各冷陰極線管ＣＦＬ１〜ＣＦＬ８への電源供給のための出力部分には、その端子を兼ねるコネクタＣＮが配置されている。
【００３３】
ここで、このコネクタＣＮは、各冷陰極線管ＣＦＬの数に対応させて４個設けられている。すなわち、コネクタ群の一端側から他端側にかけてコネクタＣＮ１〜ＣＮ４が順次配置されている。
【００３４】
コネクタＣＮ１は冷陰極線管ＣＦＬ１およびＣＦＬ２を担当しそれら冷陰極線管ＣＦＬ１およびＣＦＬ２に、コネクタＣＮ２は冷陰極線管ＣＦＬ３およびＣＦＬ４を担当しそれら冷陰極線管ＣＦＬ３およびＣＦＬ４に、コネクタＣＮ３は冷陰極線管ＣＦＬ５およびＣＦＬ６を担当しそれら冷陰極線管ＣＦＬ５およびＣＦＬ６に、コネクタＣＮ４は冷陰極線管ＣＦＬ７およびＣＦＬ８を担当しそれら冷陰極線管ＣＦＬ７およびＣＦＬ８に、それぞれ電源を供給するようになっている。
【００３５】
ここで、コネクタＣＮ１を介して電源が供給される冷陰極線管ＣＦＬ１およびＣＦＬ２には、図１（ｂ）の（２）に示す波形の電圧信号が供給されるようになっている。すなわち、その周波数が５０ｋＨｚであって、横軸を周期ｔ〔μｓ〕をとった場合に、０ｔ、２０ｔ、４０ｔ、６０ｔ、……で正、１０ｔ、３０ｔ、５０ｔ、７０ｔ、……で負の正弦波からなる電圧信号が供給されるようになっている。
【００３６】
また、コネクタＣＮ２を介して電源が供給される冷陰極線管ＣＦＬ３およびＣＦＬ４には、図１（ｂ）の（３）に示す波形の電圧信号が供給されるようになっている。すなわち、その周波数が５０ｋＨｚであって、１０ｔ、３０ｔ、５０ｔ、７０ｔ、……で正、０ｔ、２０ｔ、４０ｔ、６０ｔ、……で負の正弦波からなる電圧信号が供給されるようになっている。
【００３７】
また、コネクタＣＮ３を介して電源が供給される冷陰極線管ＣＦＬ５およびＣＦＬ６には、図１（ｂ）の（２）に示す波形と同様の電圧信号が供給されるようになっている。
【００３８】
さらに、コネクタＣＮ４を介して電源が供給される冷陰極線管ＣＦＬ７およびＣＦＬ８には、図１（ｂ）の（３）に示す波形と同様の電圧信号が供給されるようになっている。
【００３９】
このことから判るように、各冷陰極線管ＣＦＬ１〜ＣＦＬ８に供給される電源の信号波形は液晶表示パネルＰＮＬのデータ書き込みと同じ周波数からなるとともに、各冷陰極線管ＣＦＬは、その図面上方側から２つずつグループ化され、隣接するグループにおけるそれぞれの冷陰極線管ＣＦＬは、互いに反転された駆動波形で駆動されることになる。
【００４０】
このようにした場合、従来のようにたとえばＩＴＯシートを用いることなく、液晶表示パネルＰＮＬの液晶表示部ＡＲに目視される干渉縞を回避させることができる。図５は、冷陰極線管ＣＦＬを反転させることなく、またデータ書き込みと同期をとることなく試みた場合（仕様１）、冷陰極線管ＣＦＬを反転させ、またデータ書き込みと同期をとることなく試みた場合（仕様２）、冷陰極線管ＣＦＬを反転させ、またデータ書き込みと同期をとって試みた場合（仕様３）を示した実験グラフである。このグラフの縦軸は干渉縞目視レベルを示し、そのレベルが０の場合は干渉縞が無く、１の場合は微弱、２の場合は弱、３の場合は中、４の場合は強を示している。
【００４１】
この実験グラフから明らかになるように、仕様３の場合が上述した実施例の場合に相当し、干渉縞がまったく目視されないように構成される。
【００４２】
また、上述した実施例によれば、各グループにおける複数（２個）の冷陰極線管ＣＦＬは、非反転の駆動波形で駆動されるようになっており、このことから、それらに電源を供給するコネクタＣＮはそれぞれの冷陰極線管を駆動する電圧に耐える程度の簡易な構成とすればよいことになる。
【００４３】
換言すれば、各グループにおける複数（２個）の冷陰極線管が、互いに反転された駆動波形で駆動されるようにした場合、それぞれの冷陰極線管を駆動する電圧の２倍に相当する電圧に耐える構成としなければならない不都合を回避できる構成とすることができる。
【００４４】
図４は、本発明による液晶表示装置の他の実施例を示す構成図であり、バックライトＢＬに組み込まれている冷陰極線管ＣＦＬを示している。図１の場合と異なる構成は、冷陰極線管ＣＦＬ１、ＣＦＬ３、ＣＦＬ５、ＣＦＬ７は各冷陰極線管ＣＦＬの長手方向の一方の側においてコネクタＡを介して電源が供給され、冷陰極線管ＣＦＬ２、ＣＦＬ４、ＣＦＬ６、ＣＦＬ８は他方の側においてコネクタＢを介して電源が供給されていることにある。
【００４５】
ここで、コネクタＡとコネクタＢは別体のものとして構成され、それらは一体となっていないことにある。
【００４６】
他の構成において、すなわち、各冷陰極線管ＣＦＬは液晶表示パネルＰＮＬのデータ書き込みと同じ周波数の信号波形で駆動され、冷陰極線管ＣＦＬ１、ＣＦＬ３、ＣＦＬ５、ＣＦＬ７のそれぞれは、冷陰極線管ＣＦＬ２、ＣＦＬ４、ＣＦＬ６、ＣＦＬ８に対して反転された信号波形で駆動されることは、上述したと同様である。
【００４７】
このようにした場合でも、冷陰極線管ＣＦＬ１、ＣＦＬ３、ＣＦＬ５、ＣＦＬ７のそれぞれは非反転の駆動波形で駆動され、それらに電源を供給するコネクタＡはそれぞれの冷陰極線管を駆動する電圧に耐える程度の簡易な構成とすることができる。また、コネクタＢにあっても同様である。
【００４８】
上述した各実施例はそれぞれ単独に、あるいは組み合わせて用いても良い。それぞれの実施例での効果を単独であるいは相乗して奏することができるからである。
【図面の簡単な説明】
【００４９】
【図１】本発明による液晶表示装置の光源に電源を供給するコネクタの一実施例を示す構成図（ａ）とそれに印加される電圧信号波形を示す図（ｂ）である。
【図２】本発明による液晶表示装置の一実施例を示す全体構成図である。
【図３】本発明による液晶表示装置の表示領域における等価回路の一実施例を示す図である。
【図４】本発明による液晶表示装置の他の実施例を示す構成図である。
【図５】本発明による液晶表示装置の効果を示す実験データである。
【符号の説明】
【００５０】
ＰＮＬ…液晶表示パネル、ＢＬ…バックライト、ＣＦＬ…冷陰極線管、ＧＬ…ゲート信号線、ＣＮ…コネクタ。
【図１】
2005215012.tif 000003
【図２】
2005215012.tif 000004
【図３】
2005215012.tif 000005
【図４】
2005215012.tif 000006
【図５】
2005215012.tif 000007